(57)【要約】  本発明は、セルラー通信ネットワークに使用するための移動端末に関するものであって、そのような移動端末は、ｉ）最大アップリンク伝送電力未満の電力で信号を伝送する場合、可用アップリンク伝送電力を第１方式によって相違するチャンネル間に配分し、ｉｉ）最大アップリンク伝送電力を超過したり、ちょうど超過しようとする電力で信号を伝送する場合、可用アップリンク伝送電力を第１方式とは相違する第２方式によって相違するチャンネル間に配分するように構成される。
2007520178.tif 000002
【特許請求の範囲】
【請求項１】
セルラー通信ネットワークに使用するための移動端末であって、
ｉ）最大アップリンク伝送電力未満の電力で信号を伝送する場合、可用アップリンク伝送電力を第１方式によって相違するチャンネル間に配分し、
ｉｉ）最大アップリンク伝送電力を超過したり、ちょうど超過しようとする電力で信号を伝送する場合、可用アップリンク伝送電力を第１方式とは異なる第２方式によって相違するチャンネル間に配分するように構成されることを特徴とする移動端末。
【請求項２】
ステップｉｉ）において、アップリンク伝送電力は、チャンネルの優先順位によって配分されることを特徴とする請求項１記載の移動端末。
【請求項３】
ステップｉｉ）において、可用アップリンク伝送電力は、パケットデータに対するチャネルの伝送電力が最も早くダウンスケーリングされるように配分されることを特徴とする請求項１記載の移動端末。
【請求項４】
第２方式において、可用アップリンク伝送電力は、第１方式と対比して、ＤＰＤＣＨ、ＤＰＣＣＨ、Ｅ−ＤＰＣＣＨ、Ｅ−ＤＰＤＣＨ、及びＨＳ−ＤＰＣＣＨのチャンネルのうち、１つ以上の間で再分配されることを特徴とする請求項１記載の移動端末。
【請求項５】
第２方式は、端末が最大アップリンク伝送電力を超過したり、ちょうど超過しようとすると判定した後、その次のスロットでの伝送に適用されることを特徴とする請求項１記載の移動端末。
【請求項６】
第１及び第２方式において、相違するチャンネル間でアップリンク伝送電力を配分することを定めるために利得係数が使われることを特徴とする請求項１記載の移動端末。
【請求項７】
第２方式の利得係数中の１つ以上は、第１方式の対応利得係数とは相違することを特徴とする請求項６記載の移動端末。
【請求項８】
１つの利得係数は、ＤＰＣＣＨとＨＳ−ＤＰＣＣＨとの間で伝送電力を配分することを定めることを特徴とする請求項７記載の移動端末。
【請求項９】
通信ネットワークのネットワーク要素から第２方式と関連した１つ以上のパラメータを受信するように構成されることを特徴とする請求項１乃至８のうち、いずれか１項記載の移動端末。
【請求項１０】
第１方式の１つ以上の利得係数とは相違する第２方式に対する１つ以上の利得係数を１つ以上のパラメータにより判定するように構成されることを特徴とする請求項９記載の移動端末。
【請求項１１】
セルラー通信ネットワークのネットワーク要素であって、
最大アップリンク伝送電力を超過したり、ちょうど超過する場合、アップリンク伝送電力を相違するチャンネル間に配分することを定める１つ以上のパラメータを決定するように構成され、かつ、そのパラメータのうち、１つ以上が最大アップリンク伝送電力を超過しない場合に、配分を定めるパラメータと相違することを特徴とするネットワーク要素。
【請求項１２】
１つ以上のパラメータは、ＤＰＣＣＨ、Ｅ−ＤＰＤＣＨ、及びＨＳ−ＤＰＣＣＨ間でアップリンク伝送電力を配分することを定める第２パラメータを決定するために使われる第１パラメータを含むことを特徴とする請求項１１記載のネットワーク要素。
【請求項１３】
１つ以上の他のネットワーク要素を経由して、１つ以上の第１パラメータを移動端末にシグナリングするように構成されることを特徴とする請求項１１または１２記載のネットワーク要素。
【請求項１４】
通信システムでのデータ伝送方法であって、
第１送受信器側により伝送される各々のチャンネルの伝送電力を配分するステップと、
各々のチャンネルの伝送電力の合算値である第１送受信器の総伝送電力が第１送受信器の最大伝送電力を超過するかどうかを監視するステップと、
第１送受信器の総伝送電力が第１送受信器の最大伝送電力を超過する場合、優先順位の低いチャンネルの伝送電力をダウンスケーリングすることで、各々のチャンネルの伝送電力を再配分するステップと、
各々のチャンネルを再配分された伝送電力を通じて第２送受信器側に伝送するステップと、
を含むことを特徴とするデータ伝送方法。
【請求項１５】
低伝送電力を代表する利得係数を設定することによって、優先順位の低いチャンネルの伝送電力をダウンスケーリングすることを特徴とする請求項１４記載のデータ伝送方法。
【請求項１６】
低伝送電力を代表する利得係数を第２送受信器側がシグナリングすることを特徴とする請求項１４記載のデータ伝送方法。
【請求項１７】
伝送電力の再配分動作をスロット毎に遂行することを特徴とする請求項１４記載のデータ伝送方法。
【請求項１８】
音声チャンネルの優先順位をパケットデータチャンネルの優先順位より高くすることを特徴とする請求項１４記載のデータ伝送方法。
【請求項１９】
制御チャンネルの優先順位をパケットデータチャンネルの優先順位より高くすることを特徴とする請求項１４記載のデータ伝送方法。
【請求項２０】
高速専用物理制御チャンネル（ＨＳ−ＤＰＣＣＨ）をチャンネルとすることを特徴とする請求項１４記載のデータ伝送方法。
【請求項２１】
向上したアップリンク専用物理データチャンネル（Ｅ−ＤＰＤＣＨ）、または、向上したアップリンク専用物理制御チャンネル（Ｅ−ＤＰＣＣＨ）をチャンネルとすることを特徴とする請求項１４記載のデータ伝送方法。
【発明の詳細な説明】
【技術分野】
【０００１】
本発明は、移動通信ネットワークでの電力制御分野に関し、より詳しくは、単にそれに限らないが、アップリンク伝送電力を制御することに関する。
【背景技術】
【０００２】
汎用移動通信システム（Universal Mobile Telecommunications System）（ＵＭＴＳ）のようなセルラー通信ネットワークに使用するためのユーザ装備（User Equipment）（ＵＥ）は、ユーザデータ及び制御データをアップリンク方向にネットワークの基地局に伝送することに使われることができる制限された量の電力資源を有する。また、ネットワークは、信号が所定の信号対雑音比を得ることを保障するために、アップリンク方向への伝送に許されるＵＥ電力を制限することができる。
【０００３】
使用許容、または、使用可能なアップリンク伝送電力は、同時に伝送される多数のチャンネルにより共有される。マクロセルカバレッジシナリオ（macro cell coverage scenario）、ディープフェード（deep fade）の下、または、セルの縁では、ＵＥが最大伝送電力で動作しなければならないことがよくあり得る。
【０００４】
使用可能、または、使用許容されたアップリンク伝送電力を越える総伝送電力で多重チャンネルをサービスしなければならないような電力問題があることをＵＥが認知した場合、ＵＭＴＳでは、そのような電力“不足”を扱う２つのメカニズムが予見される。
【０００５】
第１メカニズムは、所謂長期挙動である。そのような長期メカニズムを適用することによって、ＵＥがアップリンク伝送電力に使われるデータ伝送速度を制御している。
【０００６】
ＵＭＴＳでは、ネットワークが適切なビット率の範囲または伝送フォーマットをＵＥに割り当てる。ＵＥは、許された伝送フォーマットセットからそのバッファー占有度及び電力可用性によって適切な伝送フォーマットを選択する。
【０００７】
ＵＥが低い電力で動作しているならば、ＵＥは、データ伝送速度の低い伝送フォーマットを選択することによって、そのデータ伝送速度を低めることになる。例えば、ＵＥがセルの縁で低い電力で動作しているならば、ＵＥは、ネットワークにより与えられる許された伝送フォーマットの組合せ（Transport Format Combinations）（ＴＦＣ）から特定の許されたＴＦＣを除去することになる。このようにして、ＵＥは、次の伝送フレームの開始時に低いデータ伝送速度に相応する適切な伝送フォーマットを選択することによって、電力問題を避けようと努めることになる。
【０００８】
ＵＭＴＳで使われる長期メカニズムは、第３世代パートナシッププロジェクト（3rd generation Partnership Project）（３ＧＰＰ）明細書に一層具体的に記載されているが、それに関しては３ＧＰＰ ＴＳ ２５．３２１の第１１．４節“Technical Specification Group Radio Access network ; Medium Access Control（ＭＡＣ）protocol specification”及び３ＧＰＰ ＴＳ ２５．１３３の第６．４節“Technical Specification Group Radio Access network ; Requirement for Support of Radio Resource Management（ＦＤＤ）”を参照されたい。
【０００９】
第２メカニズムは、所謂短期挙動である。ＵＥは、自身が前述したような電力問題を経ている場合に、そのような短期挙動を適用する。そのようなメカニズムでは、アップリンク伝送電力が最大伝送電力を越えないようにダウンスケーリングする。そのようなメカニズムは、前述した長期挙動の場合と同様に、次の伝送フレームの開始時に適用されるよりは、むしろ次のスロットでの伝送に直ちに適用されることができる。
【００１０】
ＵＭＴＳで使用できるような多重並列サービスの導入は、事情を一層難しくさせた。３ＧＰＰ明細書のリリーズ５には、ダウンリンク方向への高速データ伝送を支援する高速ダウンリンクパケットアクセス（High Speed Downlink Packet Access）（ＨＳＤＰＡ）特集が紹介されている。それに関する詳細は、３ＧＰＰ明細書ＴＳ ２５．３０８、“High Speed Downlink Packet Access（ＨＳＤＰＡ）、Overall Description”を参照されたい。しかしながら、そのようなサービスは新しい物理チャンネル、所謂高速専用物理制御チャンネル（High Speed-Dedicated Physical Control Channel）であるＨＳ−ＤＰＣＣＨを使用してダウンリンク方向にシグナルリングデータを伝送することを必要とする。その余波は、ＵＥに深刻な電力負担を付加させるものである。ＨＳ−ＤＰＣＣＨへの伝送にかかる電力要求は、全体可用電力の２０乃至３０％程度高くなりうる。それは、ＨＳＤＰＡ可能なＵＥが電力問題を経る確率がより高いということを意味する。
【発明の開示】
【発明が解決しようとする課題】
【００１１】
本発明は、セルラー通信ネットワークにおけるＵＥのアップリンク伝送電力を制御するメカニズムを改善することをその目的とする。
【課題を解決するための手段】
【００１２】
本発明の第１様態によって、セルラー通信ネットワークに使用するための移動端末であって、ｉ）最大アップリンク伝送電力未満の電力で信号を伝送する場合、可用アップリンク伝送電力を第１方式によって相違するチャンネル間に配分し、ｉｉ）最大アップリンク伝送電力を超過したり、ちょうど超過しようとする電力で信号を伝送する場合、可用アップリンク伝送電力を第１方式とは異なる第２方式によって相違するチャンネル間に配分するように構成されることを特徴とする移動端末が提供される。
【００１３】
このようにして、性能の損失、特に一部のチャンネルに対する性能の損失が低減、または、回避できるように、ＵＥのアップリンク伝送電力が制御できるようになる。
【００１４】
アップリンク伝送電力は、チャンネルの優先順位によって配分されることが好ましい。
【００１５】
このようにして、重要な、または、“優先順位の高い”チャンネルはＵＥのアップリンク伝送電力問題による影響をあまり受けないことになる。例えば、専用物理データチャンネル（Dedicated Physical Data Channel）（ＤＰＤＣＨ）、または、専用物理制御チャンネル（Dedicated Physical Control Channel）（ＤＰＣＣＨ）のようなチャンネルに対しては、上位階層３無線資源制御（Radio Resource Control）（ＲＲＣ）シグナリング、または、音声呼のような優先順位の高いアプリケーションにおいて、性能の損失がなかったり減ることだけが予想される。
【００１６】
先行技術の手続によれば、ＵＥが電力問題を経る場合に、サービスされる全てのチャンネルに亘って同一な圧縮を適用する。それによって、例えば、結果的にＤＣＣＨデータの損失が生じることになるが、それはＤＣＣＨに対する性能の損失によってシステムの性能に及ぼす全体的な影響が、例えば専用トラフィックチャンネル（Dedicated Traffic Channel）（ＤＴＣＨ）、または、ＨＳ−ＤＰＣＣＨに対するデータの損失より大きいので好ましくない。
【００１７】
第１及び第２方式では、アップリンク伝送電力を相違するチャンネル間に配分することを定めることに利得係数を使用し、第２方式の利得係数中の１つ以上が第１方式の対応利得係数と相違することが好ましい。
【００１８】
そのようにして、可用伝送電力をチャンネル間に配分するための既存のメカニズム及び“インフラ構造”が第２方式に再使用できることになる。
【００１９】
本発明の他の態様において、セルラー通信ネットワークのネットワーク要素であって、最大アップリンク伝送電力を超過したり、ちょうど超過する場合、アップリンク伝送電力を相違するチャンネル間に配分することを定める１つ以上のパラメータを決定するように構成され、かつ、そのパラメータのうち、１つ以上が最大アップリンク伝送電力を超過しない場合に、配分を定めるパラメータと相違することを特徴とするネットワーク要素が提供される。
【００２０】
本発明の更に他の態様において、通信システムでのデータ伝送方法であって、第１送受信器側により伝送される各々のチャンネルの伝送電力を配分するステップと、各々のチャンネルの伝送電力の合算値である第１送受信器の総伝送電力が第１送受信器の最大伝送電力を超過するかどうかを監視するステップと、第１送受信器の総伝送電力が第１送受信器の最大伝送電力を超過する場合、優先順位の低いチャンネルの伝送電力をダウンスケーリングすることで、各々のチャンネルの伝送電力を再配分するステップと、各々のチャンネルを再配分された伝送電力を通じて第２送受信器側に伝送するステップと、を含むことを特徴とするアップリンクデータ伝送方法が提供される。
【産業上の利用可能性】
【００２１】
セルラー通信ネットワークにおける伝送電力を配分する本発明に係る装置及び方法では、性能の損失、特に一部のチャンネルに対する性能の損失が低減、または、回避できるようにＵＥのアップリンク伝送電力を制御することができる。
【発明を実施するための最良の形態】
【００２２】
以下、本発明の実施形態を添付の図面を参照しつつ例示的に説明する。
【００２３】
図１には、汎用移動通信システム（ＵＭＴＳ）標準に従う移動通信ネットワークの概要が概略的に図示されている。そのようなネットワークの典型的な構成は、移動ユーザ装備（ＵＥ）８、ＵＭＴＳ地上無線アクセスネットワーク（UMTS Terrestrial Radio Access Network）（ＵＴＲＡＮ）３、及び１つ以上のコアネットワーク（ＣＮ）１を含む。ＵＭＴＳは、広帯域コード分割多重アクセス（ＷＣＤＭＡ）技術を使用する第３世代無線ネットワークである。
【００２４】
コアネットワーク１は、移動交換局（ＭＳＣ）またはサービングＧＰＲＳ（General Packet Radio Service）支援ノード（ＳＧＳＮ）を含むことができる。コアネットワークは、通信リンクを経由して多数の無線ネットワーク制御器（ＲＮＣ）４に接続される。ＲＮＣは、コアネットワーク１によりサービスされる領域に亘って地理的に散在する。各々のＲＮＣ４は、１つの無線ネットワークサブシステム（Radio Network Subsystem）（ＲＮＳ）５を制御し、そのＲＮＳ５は、ＲＮＣ４から遠隔位置して更に他の通信リンクによりそれに接続される“ノードＢ”のような１つ以上の基地局６を含む。各々の基地局６は、その基地局６によりサービスされる区域にあるユーザ装備または端末８に無線信号を伝送し、それから信号を受信する。そのような区域は“セル”と指称される。ＵＭＴＳネットワークはそのような多数のセルを備え、その多数のセルは、全体のネットワーク領域に亘って連続的な通信可能圏（coverage）を提供するように隣接することが理想的である。それに関する詳細は、３ＧＰＰによるUTRAN Overall Description、３ＧＰＰ ＴＳ ２５．４０１を参照されたい。
【００２５】
図２Ａ及び図２Ｂを参照して、ＤＰＤＣＨ、ＤＰＣＣＨ、及びＨＳ−ＤＰＣＣＨ間のアップリンク電力差を設定することを単純化した例により説明する。より具体的な事項に関しては、３ＧＰＰ“Technical Specification Group Access Network ; Spreading and Modification（ＦＤＤ）”ＴＳ ２５．２１３及び明細書“Physical Layer Procedures（ＦＤＤ）”ＴＳ ２５．２１４を参照されたい。
【００２６】
３ＧＰＰ明細書の場合、ＵＥは、リリーズ９９に収録された専用物理データチャンネル（ＤＰＤＣＨ）及び専用物理制御チャンネル（ＤＰＣＣＨ）、リリーズ５に収録された高速専用物理制御チャンネル（ＨＳ−ＤＰＣＣＨ）、リリーズ６に収録された向上したアップリンク専用物理データチャンネル（Enhanced DPDCH）（Ｅ−ＤＰＤＣＨ）、及び向上したアップリンク専用物理制御チャンネル（Enhanced DPCCH）（Ｅ−ＤＰＣＣＨ）を同時に伝送する。
【００２７】
その際、チャンネルに対する総電力は、最大許容アップリンク伝送電力を超過することができる。
【００２８】
その場合、ＵＥは総伝送電力を最大許容アップリンク伝送電力のレベルに減縮させる。
【００２９】
本発明では、ＵＥがチャンネルに対する総伝送電力が最大許容アップリンク伝送電力を超過するかどうかを監視する。チャンネルに対する総伝送電力が最大許容アップリンク伝送電力を超過すれば、ＵＥは、各々のチャンネルの優先順位を参照してスケーリングする。即ち、ＵＥは相対的に優先順位の高いチャンネルに対する伝送電力をそのまま維持させ、相対的に優先順位の低いチャンネルに対する伝送電力をダウンスケーリングする。優先順位割当の規則は次の通りである。即ち、音声チャンネルの優先順位がパケットデータチャンネルの優先順位より高いし、制御チャンネルの優先順位がパケットデータチャンネルの優先順位より高い。
【００３０】
本発明では、ＤＰＣＣＨ及びＤＰＤＣＨが第１優先順位を有し、ＨＳ−ＤＰＣＣＨが第２優先順位を有し、Ｅ−ＤＰＣＣＨが第３優先順位を有し、Ｅ−ＤＰＤＣＨが最も低い優先順位を有すると仮定する。したがって、チャンネルに対する総伝送電力が最大許容アップリンク伝送電力を超過すれば、ＵＥは、相対的に優先順位の低いＥ−ＤＰＤＣＨ、または、Ｅ−ＤＰＤＣＨとＥ−ＤＰＣＣＨに対する伝送電力をダウンスケーリングする一方、相対的に優先順位の高い他のチャンネルに対する伝送電力をそのまま維持させる。ここで、そのようなメカニズムは、スロット毎に、サブフレーム毎に、または、フレーム毎に動作することができる。
【００３１】
本発明の細部的動作を図面を参照して詳述する。以後の詳細な説明において、本発明は、ＵＥがＤＰＣＣＨ、ＤＰＤＣＨ、及びＨＳ−ＤＰＣＣＨを同時に伝送し、ＤＰＣＣＨとＤＰＤＣＨの優先順位がＨＳ−ＤＰＣＣＨの優先順位より高いし、各々のチャンネルに対する利得係数を再設定することで、伝送電力のスケーリングを遂行し、そのようなスケーリングの時期がスロットであると仮定する。
【００３２】
最大ＵＥ伝送電力は、ネットワークにより設定されたような最大許容アップリンク伝送電力とＵＥの最大伝送電力中の最小値として定義されるが、それに関しては３ＧＰＰ明細書ＴＳ ２５．１３３を参照されたい。最大ＵＥ伝送電力をＤＰＤＣＨ、ＤＰＣＣＨ、及びＨＳ−ＤＰＣＣＨ間に配分するために、所謂“利得係数"βC、βD及びβHSを使用する。
【００３３】
ＤＰＣＣＨとＤＰＤＣＨとの間のアップリンク電力比は、利得係数βCとβDにより定義される一方（即ち、βC/βDに）、利得係数βHSは、ＨＳ−ＤＰＣＣＨとＤＰＣＣＨとの間のアップリンク電力比を定義する。
【００３４】
そのような利得係数は、一般的にネットワークにより決まる。βCはネットワーク要素からＵＥにシグナルリングされたり、やはりネットワーク要素からＵＥにシグナルリングされるＴＦＣに対する設定に基づいてＵＥにより計算される。
【００３５】
ＴＦＣ設定から利得係数を計算することに関する詳細は、３ＧＰＰ明細書ＴＳ ２５．２１４から見つけられる。
【００３６】
βHSは、やはりネットワーク要素からＵＥにシグナルリングされる、所謂オフセット値ΔＨＳ−ＤＰＣＣＨからＵＥにより計算される。
【００３７】
ＨＳ−ＤＰＣＣＨは、通報信号及びチャンネル品質指示（Channel Quality Indication）（ＣＱＩ）信号を伝送する。通常的に、３つの相違する電力オフセットパラメータ、即ち通報信号に対するΔACKとΔNACK及びチャンネル品質指示信号に対するΔCQIがネットワークにより決まる。したがって、ネットワークがシグナルリングする電力オフセットパラメータからＵＥにより３つの相違するβHS係数、即ち通報メッセージに対する２つのものとＣＱＩに対する１つのものが計算できる。
【００３８】
ここに、図２Ａを参照すれば、単純化した例が図示されている。ここで、最大ＵＥ伝送電力は１であり、利得係数βC、βD及びβHSは下記のように設定されることと仮定する：
βC=０．３３；
βD=１．０；
βHS=２．０。
【００３９】
したがって、ＵＥは、ＤＰＤＣＨ、ＤＰＣＣＨ、及びＨＳ−ＤＰＣＣＨが次の電力で伝送するよう可用アップリンク伝送電力を割り当てる：
ＰＤＰＤＣＨ=０．５ワット；
ＰＤＰＣＣＨ=０．１７ワット；
ＰＨＳ−ＤＰＣＣＨ=０．３３ワット。
【００４０】
ここに、例えばＵＥがディープフェード状況を経るとすれば、３つの全てのチャンネルでディープフェードの以前と同一な品質で信号を伝送するために必要な電力は、最大ＵＥ伝送電力より大きいアップリンク電力を必要とするはずである（図２Ｂ参照）。しかしながら、最大ＵＥ伝送電力が前述されたように制限されるため、ＵＥは、総ＵＥ伝送電力を最大ＵＥ伝送電力に制限する必要がある。
【００４１】
本発明の一実施形態によれば、ネットワークは最大ＵＥ伝送電力をちょうど超過しようとする場合に、ＵＥが使用する付加の利得係数β’を提供する。ＵＥは、その利得係数β’を次のスロットの開始時に適用することができる。
【００４２】
単一セットの利得係数を使用し、ＵＥが電力問題を経る場合にスケーリングを適用すれば、サービスされる全てのチャンネルに対して伝送電力が同一に減縮されて全てのチャンネルに対して性能の損失がもたらされるかもしれない。しかしながら、相違するチャンネルは典型的に相違する優先順位を有する。例えば、上位階層のシグナルリングを伝送するＤＣＣＨのような論理チャンネルの優先順位は、ＤＴＣＨまたはＨＳ−ＤＰＣＣＨのような他のチャンネルに比べて高いものが通常である。
【００４３】
付加の利得係数を使用することによって、ＵＥが電力問題を経る場合に可用アップリンク伝送電力が相違するチャンネル間に再配分でき、相違するチャンネルの優先順位が勘案できることになる。
【００４４】
このようにして、優先順位の高いチャンネルの性能改善を具現することができる。
【００４５】
その場合、ネットワークは第２セットのオフセット値ΔＨＳ−ＤＰＣＣＨ、即ちΔ'ACKがΔ'Nack、及びΔ'CQIをＵＥに提供する。ＵＥは、βHSと同一であるが、但しΔＨＳ−ＤＰＣＣＨの代りにΔ'ＨＳ−ＤＰＣＣＨを使用して利得係数β'HSを計算する。
【００４６】
代案的に、ネットワークは、単一のオフセット値Δ'ＨＳ−ＤＰＣＣＨをシグナルリングし、その後、ＵＥがそのオフセット値Δ'ＨＳ−ＤＰＣＣＨをＨＳＤＰＡサービスに対する通報信号及びチャンネル品質指示信号を伝送することに使用することができる。
【００４７】
ここに、図２Ｃを参照すれば、利得係数β'HSを使用する単純化した例が説明されている。
【００４８】
前述の単純化した例が今は拡張されて、付加の利得係数β'HSが考えられている。やはり最大ＵＥ伝送電力は、１ワットであり、利得係数は、下記のように設定されることと仮定する：
βC=０．３３；
βD=１．０；
βHS=２．０；
β'HS=０．５。
【００４９】
したがって、ＵＥが電力問題を経ることになれば、ＵＥは、付加の利得係数β'HSを使用して可用アップリンク伝送電力を割り当てる。
【００５０】
即ち、ＵＥは、チャンネルが次の電力で伝送するように可用アップリンク伝送電力を割り当てる；
ＰＤＰＤＣＨ=０．６６ワット；
ＰＤＰＣＣＨ=０．２２ワット；
ＰＨＳ−ＤＰＣＣＨ=０．１１ワット。
【００５１】
そのようにして、“優先順位の高い”チャンネルが優先順位の低いチャンネルに比べてより多い電力を受けるように可用電力が相違するチャンネル間に配分されることになる。したがって、アップリンク方向への電力問題を経る場合、ＵＥは、ＤＰＤＣＨとＤＰＣＣＨへのアップリンク伝送において付加の利得係数が提供されない場合に比べて各々０．１６ワットと０．０６ワットの付加の電力が使用できることになる。
【００５２】
付加の利得係数β'HSを使用することによって、ＨＳ−ＤＰＣＣＨへの伝送に使うことができる電力が格段に減少することが分かる。したがって、優先順位の高いチャンネルの性能における改善に続きＨＳＰＤＡ性能において、損失の可能性が発生しうる。しかしながら、電力問題が予見でき次第、ＴＦＣ選択を利用した前述した長期メカニズムが適用されて、最大アップリンク伝送電力を超過することになる場合の数が低い。したがって、ＨＳＤＰＡ性能における全体的な損失は、深刻であるとは予想されない。
【００５３】
また、ＵＥがＨＳ−ＤＰＣＣＨに対して減縮された電力で伝送することによる如何なる可能な影響も微々たるものであることと予想される。なぜならば、ＨＳＤＰＡでの通報のためのメカニズムが非常に安定的で、かつ、ＵＥがよく電力問題を経ていることをネットワークが知っている場合は、ネットワークが、例えば反復回数増加させることができるためである。
【００５４】
図３を参照すれば、相違するセットの利得係数を適用する過程が説明されている。
【００５５】
そのような過程はステップ１０２から始まって、ＵＥは、必要に応じて相違するチャンネルにアップリンク信号を伝送する。ＵＥは、最大ＵＥ伝送電力を超過したり、最大伝送をちょうど超過しようとするかどうかを定期的に判定する（ステップ１０４）。
【００５６】
それは、予め定まった測定時期の間、通常１つのスロットの間、ＵＥがその伝送電力を測定することによってなされる。そのような測定から、ＵＥは、３ＧＰＰ明細書ＴＳ ２５．１０１に収録された、ＵＥ伝送電力測定正確度に対して定義されたような許容誤差を考慮して最大許容アップリンク伝送電力に到達したかどうかを推定する。
【００５７】
しかしながら、ＵＥの出力電力がＵＥ伝送電力測定によりカバーされる範囲外にあれば、ＵＥは、それが３ＧＰＰ明細書ＴＳ ２５．１０１に収録された、開放ループ電力制御に対して指定された許容誤差より多く最大許容アップリンク伝送電力を超過するかどうかを判定する。
【００５８】
ステップ１０４において、最大ＵＥ伝送電力を超過しないことと判定されれば、ＵＥは、βHSをはじめとする“通常の”利得係数を適用して相違するチャンネル間の電力比を設定する（ステップ１０６）。一方、ステップ１０４において、最大ＵＥ伝送電力を超過したり、ちょうど超過しようとすると探知されれば、過程は、ステップ１０８に続行して電力問題状況に対備した利得係数を適用する。ＤＰＣＣＨとＨＳ−ＤＰＣＣＨとの間の電力比を設定するために、ＵＥは、現在または次のＤＰＣＣＨスロットの開始時からβHSの代りにβ'HSを使用する。
【００５９】
ステップ１１０において、ＵＥは、ステップ１０６またはステップ１０８で設定された伝送電力を使用してデータを伝送し、次にステップ１０４でまたアップリンク伝送電力を監視する。
【００６０】
前述した実施形態では、ＵＭＴＳシステムに対する伝送電力制御を説明したが、本発明は、例えばＧＭＳのような他のシステムやその他のＷＣＤＭＡシステムにも類似するように適用できることが明らかである。
【００６１】
前述した実施形態は、単に好ましい実施形態に過ぎないことが明らかである。本発明の範囲から逸脱しない範囲で各種の特徴を省略、変更、または均等物に置換することができる。
【図面の簡単な説明】
【００６２】
【図１】本発明を結合させることができる移動通信ネットワークの概要を概略的に示す図である。
【図２Ａ】先行技術によってアップリンク伝送電力を配分することを概略的に示す図である。
【図２Ｂ】先行技術によってアップリンク伝送電力を配分することを概略的に示す図である。
【図２Ｃ】本発明によってアップリンク伝送電力を配分することを概略的に示す図である。
【図３】本発明の一実施形態によってアップリンク伝送電力を制御する過程を示すフローチャートである。
【図１】
2007520178.tif 000003
【図２Ａ】
2007520178.tif 000004
【図２Ｂ】
2007520178.tif 000005
【図２Ｃ】
2007520178.tif 000006
【図３】
2007520178.tif 000007
【国際調査報告】
2007520178.tif 000008
2007520178.tif 000009